(57)【要約】【課題】幅の狭い段差部分であっても、美観を損ねずに壁面に沿って配管を覆うことができる配管用化粧カバーを提供する。【解決手段】配管用化粧カバー１０Ａは、第一の壁面１０２及び第三の壁面１０４にそれぞれ沿って配設される第一の管部１１と、第二の壁面１０３に沿って配設される第二の管部１２とを備える。第一の管部１１には、第一の管部１１の本体部１３から延長されて、第二の管部１２に進退可能に挿入される連結部１４が設けられる。第二の管部１２には切り欠き部４０が設けられ、連結部１４が第二の管部１２に挿入されたとき、第一の管部１１の本体部１３が切り欠き部４０に入り込むように構成される。【選択図】図１
2015105681.tif 000002
【特許請求の範囲】
【請求項１】
段差部分を有して並行に形成された第一の壁面及び第二の壁面と、前記第一の壁面及び前記第二の壁面にそれぞれ略直交する方向の第三の壁面とに配設される配管の周囲を覆う配管用化粧カバーであって、
前記第一の壁面及び前記第三の壁面にそれぞれ沿って配設される第一の管部と、前記第二の壁面に沿って配設される第二の管部とを備え、
前記第一の管部と前記第二の管部とは、前記略直交する方向に伸縮可能に連結され、
前記第一の管部には、該第一の管部の本体部から延長されて、前記第二の管部に進退可能に挿入される連結部が設けられ、
前記第二の管部には、前記連結部が挿入される側の端部が切り欠かれて形成された切り欠き部が設けられ、
前記連結部が前記第二の管部に挿入されたとき、前記第一の管部の本体部が前記切り欠き部に入り込むように構成されたことを特徴とする配管用化粧カバー。
【請求項２】
前記連結部を前記第二の管部に挿入して前記第一の管部と前記第二の管部との間隔を最も縮小させた状態で、前記第一の管部の一端部に開口形成された第一の開口部側、又は前記第二の管部の他端部に開口形成された第二の開口部側から見たときに、前記第一の開口部と前記第二の開口部との一部が重なるように構成されたことを特徴とする請求項１に記載の配管用化粧カバー。
【請求項３】
段差部分を有して並行に形成された第一の壁面及び第二の壁面と、前記第一の壁面及び前記第二の壁面にそれぞれ略直交する方向の第三の壁面とに配設される配管の周囲を覆う配管用化粧カバーであって、
前記第一の壁面及び前記第三の壁面にそれぞれ沿って配設される第一の管部と、前記第二の壁面に沿って配設される第二の管部とを備え、
前記第一の管部と前記第二の管部とは、前記略直交する方向に伸縮可能に連結され、
前記第一の管部には、該第一の管部の本体部から延長された、前記第二の管部に進退可能に挿入される連結部が設けられ、
前記第二の管部には、前記連結部が挿入される側の端部が切り欠かれて形成された切り欠き部が形成され、
前記連結部には切り取り部を設け、
該切り取り部において前記連結部の一部を切り取った状態で、前記連結部が前記第二の管部に挿入されたとき、前記第一の管部の本体部が前記切り欠き部に入り込むように構成されたことを特徴とする配管用化粧カバー。
【請求項４】
前記第一の管部は、前記第一の壁面及び前記第三の壁面にそれぞれ対向する第一のベース部材と、該第一のベース部材に取り付けられる第一のカバー部材を備え、
前記第二の管部は、前記第二の壁面にそれぞれ対向する第二のベース部材と、該第二のベース部材に取り付けられる第二のカバー部材を備え、
前記第一のカバー部材に前記連結部が、前記第二のカバー部材に前記切り欠き部がそれぞれ設けられたことを特徴とする請求項１乃至３の何れか一つに記載の配管用化粧カバー。
【発明の詳細な説明】
【技術分野】
【０００１】
この発明は、建築物の壁面に沿って配設される各種配管の周囲を覆う化粧カバーに関する。
【背景技術】
【０００２】
家屋やビル等の建築物の壁面には、空気調和機に接続された冷媒管やドレンホース等、各種の配管が接続される場合が多い。この配管の周囲には、建築物の外観を良好に保つための配管化粧カバーが配設されることが多い、そして、例えば建築物の壁面など、複数の段差部分が設けられた箇所には、樹脂等の部材によって蛇腹状に形成されて屈曲可能な化粧カバーが用いられる（例えば、特許文献１参照）。
【先行技術文献】
【特許文献】
【０００３】
【特許文献１】特開２００９−１５０４３３号公報
【発明の概要】
【発明が解決しようとする課題】
【０００４】
ここで、壁面の段差部分は複数の平面が略直角に交わった略直角の角部分になることが多い。しかし、上記特許文献１に記載の発明においては、蛇腹状の化粧カバーは曲線状に屈曲するため、角部分において化粧カバーが壁面から浮き上がり、化粧カバーが壁面の美観を損ねてしまうという問題がある。一方、段差部分の配管を覆うための、段差部分と同様に屈曲し、段差部分の幅（たとえば、図１に示す第三の壁面１０４の、第一の壁面１０２との接合部分から第二の壁面１０３との接合部分までの距離、即ち図１における幅Ｗ１の大きさのこと。以下、本明細書においてこの大きさを「幅」と称する。）方向に伸縮可能な化粧カバーも提案されている。しかし、この化粧カバーは、構造上、所定の大きさ、例えば開口部分の大きさよりも幅を縮小させることができない。そのため、段差部分の幅が狭い、即ち、段差部分の幅方向大きさが小さい場合は、化粧カバーが段差部分から浮き上がり、化粧カバーが壁面の美観を損ねてしまうという問題がある。
【０００５】
本発明はこのような問題に鑑みてなされたものであり、幅の狭い段差部分であっても、美観を損ねずに壁面に沿って配管を覆うことができる配管用化粧カバーを提供することを課題としている。
【課題を解決するための手段】
【０００６】
かかる課題を達成するために、請求項１に記載の発明は、段差部分を有して並行に形成された第一の壁面及び第二の壁面と、前記第一の壁面及び前記第二の壁面にそれぞれ略直交する方向の第三の壁面とに配設される配管の周囲を覆う配管用化粧カバーであって、前記第一の壁面及び前記第三の壁面にそれぞれ沿って配設される第一の管部と、前記第二の壁面に沿って配設される第二の管部とを備え、前記第一の管部と前記第二の管部とは、前記略直交する方向に伸縮可能に連結され、前記第一の管部には、該第一の管部の本体部から延長されて、前記第二の管部に進退可能に挿入される連結部が設けられ、前記第二の管部には、前記連結部が挿入される側の端部が切り欠かれて形成された切り欠き部が設けられ、前記連結部が前記第二の管部に挿入されたとき、前記第一の管部の本体部が前記切り欠き部に入り込むように構成されたことを特徴とする。
【０００７】
請求項２に記載の発明は、請求項１に記載の構成に加え、前記連結部を前記第二の管部に挿入して前記第一の管部と前記第二の管部との間隔を最も縮小させた状態で、前記第一の管部の一端部に開口形成された第一の開口部側、又は前記第二の管部の他端部に開口形成された第二の開口部側から見たときに、前記第一の開口部と前記第二の開口部との一部が重なるように構成されたことを特徴とする。
【０００８】
請求項３に記載の発明は、段差部分を有して並行に形成された第一の壁面及び第二の壁面と、前記第一の壁面及び前記第二の壁面にそれぞれ略直交する方向の第三の壁面とに配設される配管の周囲を覆う配管用化粧カバーであって、前記第一の壁面及び前記第三の壁面にそれぞれ沿って配設される第一の管部と、前記第二の壁面に沿って配設される第二の管部とを備え、前記第一の管部と前記第二の管部とは、前記略直交する方向に伸縮可能に連結され、前記第一の管部には、該第一の管部の本体部から延長されて、前記第二の管部に進退可能に挿入される連結部が設けられ、前記第二の管部には、前記連結部が挿入される側の端部が切り欠かれて形成された切り欠き部が形成され、前記連結部には切り取り部を設け、該切り取り部において前記連結部の一部を切り取った状態で、前記連結部が前記第二の管部に挿入されたとき、前記第一の管部の本体部が前記切り欠き部に入り込むように構成されたことを特徴とする。
【０００９】
請求項４に記載の発明は、請求項１乃至３の何れか一つに記載の構成に加え、前記第一の管部は、前記第一の壁面及び前記第三の壁面にそれぞれ対向する第一のベース部材と、該第一のベース部材に取り付けられる第一のカバー部材とを備え、前記第二の管部は、前記第二の壁面にそれぞれ対向する第二のベース部材と、該第二のベース部材に取り付けられる第二のカバー部材を備え、前記第一のカバー部材に前記連結部が、前記第二のカバー部材に前記切り欠き部がそれぞれ設けられたことを特徴とする。
【発明の効果】
【００１０】
請求項１に記載の発明によれば、第一の壁面及び第三の壁面にそれぞれ沿って配設される第一の管部と、第二の壁面に沿って配設される第二の管部とを備えたことにより、建築物の壁面の段差部分に沿って配管を覆うことができる。また、連結部が第二の管部に進退可能に挿入されることによって第一の管部と第二の管部との距離が伸縮されて、第一の管部と第二の管部とを略直交する方向に伸縮可能としたことにより、段差部分の大きさに拘わらず、段差部分に沿って配管を覆うことができる。また、第一の管部に設けられた連結部が第二の管部に挿入されたとき、第一の管部の本体部が切り欠き部に入り込むように構成されたことにより、壁面の段差部分の幅が狭くても、第一の管部と第二の管部の距離を段差部分の幅に対応させて縮め、壁面の段差部分に沿って配管を覆うことができる。これにより、幅の狭い段差部分であっても、美観を損ねずに壁面に沿って配管を覆うことができる。
【００１１】
請求項２に記載の発明によれば、第一の管部と第二の管部との間隔を最も縮小させた状態で、第一の開口部と第二の開口部との一部が重なるように構成されたことにより、段差部分の幅が第一の開口部よりも小さい場合であっても、第一の管部と第二の管部の距離を段差部分の幅に対応させて縮め、建築物の壁面の段差部分に沿って配管を覆うことができる。これにより、幅の狭い段差部分であっても、確実に壁面の段差部分に沿って配管を覆うことができる。
【００１２】
請求項３に記載の発明によれば、連結部には切り取り部を設けたことにより、切り取り部で連結部の一部を切除して連結部を短くすることで第一の管部と第二の管部の距離を調節することができる。そのため、切り取り部で連結部を切り取らないものには幅広の段差部分に取り付け、切り取り部で連結部を切り取ったものは幅狭の段差部分に取り付け、様々な幅の段差部分に適用可能とすることができる。また、一部を切り取った連結部が第二の管部に挿入されたとき、第一の管部の本体部が切り欠き部に入り込むように構成されたことにより、本体部が切り欠き部に当接するまで押し込むことで、連結部を最大限に短くすることができる。
【００１３】
請求項４に記載の発明によれば、第一の管部と第二の管部とを、ベース部材とカバー部材とでそれぞれ構成したことにより、配管用化粧カバーの建築物の壁面への取り付けと、配管用化粧カバーの内部への配管の収納を容易に行うことができる。また、第一のカバー部材に連結部が、第二のカバー部材に切り欠き部がそれぞれ設けられたことにより、壁面に取り付けるためのベース部材の構成と独立して、第一の管部と第二の管部の距離を段差部分の幅に対応させて縮めるための構成を設け、配管用化粧カバーを確実に壁面の段差部分に沿って取り付けることができる。
【図面の簡単な説明】
【００１４】
【図１】この発明の実施の形態１に係る配管用化粧カバーを建築物の段差部分に取り付けた状態の正面図である。
【図２】同上配管用化粧カバーを建築物の段差部分に取り付けた状態の断面図である。
【図３】同上配管用化粧カバーを示す図で、（ａ）は正面図、（ｂ）は断面図、（ｃ）は平面図、（ｄ）は左側面図、（ｅ）は右側面図である。
【図４】同上配管用化粧カバーを構成する第一のベース部材を示す図で、（ａ）は正面図、（ｂ）は底面図、（ｃ）は平面図、（ｄ）は左側面図、（ｅ）は右側面図、（ｆ）は背面図である。
【図５】この実施の形態１及び２の配管用化粧カバーを構成する第一のカバー部材を示す図で、（ａ）は正面図、（ｂ）は底面図、（ｃ）は平面図、（ｄ）は左側面図、（ｅ）は右側面図、（ｆ）は断面図である。
【図６】この実施の形態１の配管用化粧カバーを構成する第二のベース部材を示す図で、（ａ）は正面図、（ｂ）は底面図、（ｃ）は平面図、（ｄ）は左側面図、（ｅ）は右側面図、（ｆ）は断面図である。
【図７】同上配管用化粧カバーを構成する第二のカバー部材を示す図で、（ａ）は正面図、（ｂ）は底面図、（ｃ）は平面図、（ｄ）は左側面図、（ｅ）は右側面図、（ｆ）は断面図である。
【図８】同上配管用化粧カバーの第一の管部と第二の管部の距離を最大限縮小させた状態を示す図で、（ａ）は正面図、（ｂ）は平面図である。
【図９】同上配管用化粧カバー及びエアコンの室内機を建築物に取り付けた状態の正面図である。
【図１０】この発明の実施の形態２に係る配管用化粧カバーを建築物の幅広の段差部分に取り付けた状態の正面図である。
【図１１】同上配管用化粧カバーを建築物の幅広の段差部分に取り付けた状態の断面図である。
【図１２】この発明の実施の形態２に係る配管用化粧カバーを建築物の幅狭の段差部分に取り付けた状態の正面図である。
【図１３】同上配管用化粧カバーを建築物の幅狭の段差部分に取り付けた状態の断面図である。
【発明を実施するための形態】
【００１５】
［発明の実施の形態１］
図１乃至図９は、この発明の実施の形態１を示す。
【００１６】
まず構成を説明すると、この実施の形態１の配管用化粧カバー１０Ａは、家屋やビルディング等の建築物の内壁の段差部分に配設される配管の周囲を覆うために設けられる。
【００１７】
図１に示す、建築物１００の段差部分１０１は、第一の壁面１０２、第二の壁面１０３、第三の壁面１０４とがそれぞれ交わる部分に形成されている。第一の壁面１０２と第二の壁面１０３とは略並行な鉛直面であって、第三の壁面１０４は、第一の壁面１０２及び第二の壁面１０３にそれぞれ略直交する水平面である。
【００１８】
図２に示す通り、第一の壁面１０２、第二の壁面１０３、第三の壁面１０４とに近接して、エアコンの室内機１０７（図９参照）に連結された、冷媒管やドレンホース等の配管１０５が配設される。そして、この実施の形態１の配管用化粧カバー１０Ａは、配管１０５の直線状の部分の周囲を覆う直線状カバー１０６に連結される。また、配管用化粧カバー１０Ａは、段差部分１０１において配管１０５の周囲に配設される。なお、図１及び図２に示す通り、この実施の形態１の直線状カバー１０６は、軸方向に沿って分割可能に形成され、分割された一方側がベース部材１０６ａ、他方側がカバー部材１０６ｂを形成する。
【００１９】
図３の（ａ）〜（ｅ）に示す、この実施の形態１の配管用化粧カバー１０Ａは、ＡＢＳ等の合成樹脂によって形成される。図３の（ａ）に示す通り、この配管用化粧カバー１０Ａは、第一の管部１１と第二の管部１２とを有する。第一の管部１１と第二の管部１２とは離接可能であり、かつ接合した状態で伸縮可能に連結されている。
【００２０】
第一の管部１１は、正面視（図３の（ａ）に示す状態）略Ｌ字形の略角筒状に形成されている。具体的には、第一の管部１１は略角筒状に形成された本体部１３と、本体部１３の基端部から、本体部１３の軸方向に対して略直角方向に延長された断面コ字状の連結部１４とを有する。
【００２１】
第一の管部１１は、第一のベース部材１５と、第一のカバー部材１６とを有する。
【００２２】
図４の（ａ），（ｃ），（ｅ），（ｆ）に示す通り、第一のベース部材１５は、平板状の一方面部１７と、一方面部１７に対し垂直方向に伸長する平板状の他方面部１８を有し、正面視略Ｌ字形の形状に形成されている。第一のベース部材１５の一方面部１７は第一の壁面１０２に沿って配設され、他方面部１８は第三の壁面１０４に沿って配設される。図４の（ｄ），（ｅ）に示す通り、一方面部１７の略中央部にはねじ孔１９ａが開口形成されている。また、一方面部１７の両側には段差状に凹んだ被係合部２０ａ，２０ａが形成されている。図４の（ｂ），（ｅ），（ｆ）に示す通り、他方面部１８の略中央部にはねじ孔１９ｂが開口形成されている。また、他方面部１８の両側には段差状に凹んだ被係合部２０ｂ，２０ｂが形成されている。
【００２３】
図５の（ａ）に示す通り、第一のカバー部材１６は、正面視において、略中央部分が略直角方向に折れ曲がり、正面視略Ｌ字形に形成されている。図５の（ｃ）に示す通り、第一のカバー部材１６の幅Ｗ４ａは、図１に示す、段差部分１０１の第三の壁面１０４の幅Ｗ１以上の大きさに形成されている。
【００２４】
図５の（ｂ），（ｃ）に示す通り、第一のカバー部材１６の一方側部分２１の一端部（図５の（ａ）に示す下端部）には「第一の開口部」としての一端開口部２２が開口形成され、図５の（ｄ）に示す通り、他方側部分２３の一側部（図５の（ａ）に示す左側部）には一側開口部２４が開口形成されている。また、一方側部分２１の他側部には他側開口部２５が開口形成され、他方側部分２３の他端部には他端開口部２６が開口形成されている。他端開口部２６の端面は、正面視直線状であって、第二の管部１２の摺動部４２（図１、図２参照）に摺動される被摺動部２７として形成されている。
【００２５】
図５の（ａ），（ｂ），（ｃ）に示す通り、第一のカバー部材１６の他方側部分２３の周囲の他側部寄りには、一側側よりも外径が大きくなった段差部２８が形成されている。段差部２８よりも一側側は第一の管部１１の連結部１４を形成し、他側側は本体部１３を形成する。
【００２６】
図５の（ｂ），（ｃ），（ｅ），（ｆ）に示す通り、一方側部分２１は、他側部に一対の突起状の係合部３０ａ，３０ａが設けられ、他端部に一対の突起状の係合部３０ｂ，３０ｂが設けられている。
【００２７】
図１、図２に示す通り、第二の管部１２は、第二の壁面１０３に沿って配設される。図３の（ａ）〜（ｄ）に示す通り、第二の管部１２は略角筒状に形成されている。
【００２８】
第二の管部１２は、第二のベース部材３１と、第二のカバー部材３２とを有する。
【００２９】
図６の（ａ），（ｂ），（ｃ）に示す通り、第二のベース部材３１は、平板状の一方面部３３と、一方面部３３に対して略垂直方向に向けて伸長する平板状の他方面部３４とを有し、正面視略Ｌ字形に形成されている。第二のベース部材３１の一方面部３３は第二の壁面１０３に沿って配設され、他方面部３４は第三の壁面１０４に沿って配設される。図６の（ｂ）〜（ｆ）に示す通り、一方面部３３の略中央部にはねじ孔３５ａが、他方面部３４の略中央部にはねじ孔３５ｂが、それぞれ開口形成されている。また、図６の（ａ），（ｄ），（ｅ）に示す通り、一方面部３３の平面視両側部には、一対の溝状の被係合部３６，３６が設けられている。
【００３０】
図７の（ａ）〜（ｆ）に示す通り、第二のカバー部材３２は、一端部（図７の（ａ）における右端部）に底部３７が設けられている。また、他端部には「第二の開口部」としての他端開口部３８が開口形成され、図７の（ａ），（ｅ）に示す通り、一側部（図７の（ａ）における右側部）には他端開口部３８に連続して一側開口部３９が開口形成されている。
【００３１】
図７の（ａ）に示す通り、第二のカバー部材３２には、切り欠き部４０が形成されている。この切り欠き部４０は、第一の管部１１の連結部１４が挿入される側の端部である、第二のカバー部材３２の一方側から一側側にかけて正面視略Ｌ字形の端面に切り欠かれて形成されている。切り欠き部４０の一端側から他端側（図７の（ａ）における上下方向）に沿う端面は、第一の管部１１の段差部２８が当接する当接部４１を構成し、一側側から他側側（図７の（ａ）における左右方向）に沿う端面は、第一の管部１１の被摺動部２７が当接される摺動部４２を構成する。
【００３２】
図１及び図７の（ａ）に示す、切り欠き部４０の摺動部４２の幅Ｗ２の大きさは、配管用化粧カバー１０Ａを段差部分１０１に当接させるために適切な大きさに形成する。具体的には、例えば、図１に示す、第一の管部１１における一端開口部２２の大きさＷ３未満の適切な大きさに形成する。
【００３３】
また、図２に示す、連結部１４の長さＬ１（即ち、第一の管部１１の一側開口部２４から段差部２８までの長さ）は、第二の管部１２の当接部４１からＲの部分の手前までの長さＬ２以下の大きさになるように形成する。
【００３４】
また、図７の（ｂ），（ｃ），（ｆ）に示す通り、第二のカバー部材３２の一側側から見た状態の両側部には、被係合部３６，３６（図６の（ｄ），（ｅ）参照）に係合される鈎状の係合部４３，４３が突設されている。
【００３５】
図３の（ａ），（ｂ），（ｃ）に示す通り、配管用化粧カバー１０Ａは、第一の管部１１の連結部１４を第二の管部１２の一側開口部３９から内部に挿入して連結することで形成される。この状態で、連結部１４は第二の管部１２に対して進退可能である。そして、連結部１４が進退することで、第一の管部１１と第二の管部１２との距離は、略直交する方向、即ち、第一の管部１１の本体部１３の軸方向と第二の管部１２の軸方向とは略直交する方向（図１における左右方向）に伸縮可能である。
【００３６】
連結部１４を一側開口部３９から第二の管部１２の内部に挿入し、第一の管部１１の本体部１３と第二の管部１２との距離を短縮させると、本体部１３の一部は、第二の管部１２の切り欠き部４０に入り込んだ状態となる。即ち、図８の（ａ）に示す正面視の状態において、本体部１３の段差部２８が、第二の管部１２の一側部４６よりも他側側（図８の（ａ）における右側）に位置する状態となる（図８の（ａ）参照）。
【００３７】
この場合、図８の（ｂ）に示すように、第一の管部１１の一端部に開口形成された一端開口部２２と、第二の管部１２の他端部に開口形成された他端開口部３８とは一部が重なり、この重なった部分が直方貫通部４５を形成する。図８の（ｂ）に示す通り、この状態で配管用化粧カバー１０Ａを一端開口部２２側、又は他端開口部３８側から見たとき、直方貫通部４５は、一端側から他端側、又は、他端側から一端側が視認可能になっている。
【００３８】
そして、第一の管部１１の連結部１４を第二の管部１２の内部に一杯まで挿入し、第一の管部１１の本体部１３と第二の管部１２との間隔を最も縮小させると、図８の（ａ）に示すように、段差部２８と当接部４１とが当接した状態となる。なんとなれば、図２に示すように、連結部１４の長さＬ１が、第二の管部１２の当接部４１からＲの部分の手前までの長さＬ２以下の大きさであり、連結部１４が全て第二の管部１２の内部に挿入されうるからである。
次に、この実施の形態１の配管用化粧カバー１０Ａの取り付け方法について説明する。
【００３９】
まず、図９に示すように、エアコンの室内機１０７に配管１０５（この場合はドレンホース）の一端を接続し、配管１０５の他端側を壁孔１０８を経て室外側に配設する。
【００４０】
次に、図２に示すように、配管用化粧カバー１０Ａの第一のベース部材１５を、第二の壁面１０３と第三の壁面１０４の配管１０５を沿わせたい位置に当接させる。このとき、図２に示すように、一方面部１７を第二の壁面１０３に、他方面部１８を第三の壁面１０４に対向させる。この状態で、図２に示すように、ねじ孔１９ａ，１９ｂのそれぞれに、ねじ４４，４４を挿通させ、第一のベース部材１５を第一の壁面１０２、第三の壁面１０４にねじ止めする。
【００４１】
同様に、第二のベース部材３１を、第二の壁面１０２と第三の壁面１０４の配管１０５を沿わせたい位置に当接させる。このとき、図２に示すように、一方面部３３を第一の壁面１０２に、他方面部３４を第三の壁面１０４に対向させる。この状態で、図２に示すように、ねじ孔３５ａにねじ４４を挿通させ、第二のベース部材３１を第二の壁面１０３にねじ止めする。なお図示しないが、ねじ孔３５ｂにねじ４４を挿通螺合させて第二のベース部材３１を第三の壁面１０４に固着させてもよい。
【００４２】
次に、図２に示すように、第一の壁面１０２、第二の壁面１０３の配管１０５を沿わせたい位置に、直線状カバー１０６，１０６のベース部材１０６ａ，１０６ａをそれぞれねじ４４でねじ止めする。
【００４３】
次に、図２に示すように、配管１０５を内側に位置させた状態で、第一の壁面１０２側のベース部材１０６ａ、第二の壁面１０３側の１０６ａに、それぞれ、カバー部材１０６ｂを嵌合させる。
【００４４】
次に、配管１０５を内側に位置させた状態で、第一のベース部材１５に第一のカバー部材１６を、第二のベース部材３１に第二のカバー部材３２を、それぞれ嵌合させる。
【００４５】
具体的には、第一のカバー部材１６は、一端開口部２２が下方に向き、一側開口部２４が側方に向いた状態とし、一対の係合部３０，３０を第一のベース部材１５の一対の被係合部２０，２０にそれぞれ係合させる。また、第二のカバー部材３２は、他端開口部３８を上側に向け、一側開口部３９を第一の管部１１の一側開口部２４に対向させた状態とし、第二のカバー部材の係合部４３，４３を第二のベース部材３１の被係合部３６，３６にそれぞれ係合させる。
【００４６】
これにより、図１、図２、図９に示すように、配管用化粧カバー１０Ａが、内部に配管１０５を配設して段差部分１０１に取り付けられた状態となる。
【００４７】
さらに、図９に示すように、建築物１００の外壁側の配管１０５の周囲には、室外用カバー１０９を配設する。以上のようにして、配管１０５が建築物１００の壁面に沿って配設された状態が形成される。
【００４８】
ここで、この実施の形態１においては、配管用化粧カバー１０Ａは、第一の管部１１と第二の管部１２とが離接可能に形成されている。そのため、建築物１００の段差部分１０１に配管用化粧カバー１０Ａを配設する際に、第一の壁面１０２と第三の壁面１０４とに沿って第一の管部１１を設置する工程と、第二の壁面１０３と第三の壁面１０４とに沿って第二の管部１２を設置する工程とを、別個に行うことができる。このため、段差部分１０１の位置や大きさの如何に拘わらず、配管用化粧カバー１０Ａを容易に段差部分１０１に取り付けることができる。
【００４９】
また、この実施の形態１においては、第一の管部１１を第一のベース部材１５と第一のカバー部材１６とで構成し、第二の管部１２を第二のベース部材３１と第二のカバー部材３２とで構成したことにより、配管用化粧カバー１０Ａの建築物１００の第一の壁面１０２、第二の壁面１０３、第三の壁面１０４への取り付けと、配管用化粧カバー１０Ａの内部への配管１０５の収納を容易に行うことができる。また、第一のカバー部材１６に連結部１４が、第二のカバー部材３２に切り欠き部４０がそれぞれ設けられたことにより、壁面に取り付けるための第一のベース部材１５、第二のベース部材３１の構成と独立して、第一の管部１１と第二の管部１２の距離を第三の壁面１０４の幅に対応させて縮めるための構成を設け、配管用化粧カバー１０Ａを確実に壁面の段差部分１０１に沿って取り付けることができる。
【００５０】
この実施の形態１においては、第一の管部１１と第二の管部１２との間隔を最も縮小させた状態で、平面視において、一端開口部２２と他端開口部３８との一部が重なって直方貫通部４５が形成されるように構成されたことにより、段差部分１０１における第三の壁面１０４の幅Ｗ１の大きさが一端開口部２２の幅Ｗ３よりも小さい場合であっても、第一の管部１１と第二の管部１２の距離を段差部分１０１の幅Ｗ１に対応させて縮め、建築物１００の壁面の段差部分１０１に沿って配管１０５を覆うことができる。これにより、建築物１００の段差部分１０１の幅Ｗ１が狭くても、確実に壁面の段差部分１０１に沿って配管１０５を覆うことができる。
【００５１】
この実施の形態１においては、第一の壁面１０２及び第三の壁面１０４にそれぞれ沿って配設される第一の管部１１と、第二の壁面１０３に沿って配設される第二の管部１２とを備えたことにより、建築物１００の壁面の段差部分１０１に沿って配管１０５を覆うことができる。また、連結部１４が第二の管部１２に進退可能に挿入されることによって第一の管部１１と第二の管部１２との距離が伸縮されて、第一の管部１１と第二の管部１２とを略直交する方向に伸縮可能としたことにより、段差部分１０１の大きさ即ち第三の壁面１０４の幅Ｗ１の大きさに拘わらず、段差部分１０１に沿って配管１０５を覆うことができる。また、第一の管部１１に設けられた連結部１４が第二の管部１２の一側開口部３９から内部に挿入されたとき、第一の管部１１の本体部１３の一部が切り欠き部４０に入り込むように構成されたことにより、壁面の段差部分１０１における第三の壁面１０４の幅Ｗ１が狭くても、第一の管部１１と第二の管部１２の距離を第三の壁面１０４の幅Ｗ１に対応させて縮め、壁面の段差部分１０１に沿って配管１０５を覆うことができる。これにより、幅の狭い段差部分１０１であっても、美観を損ねずに壁面に沿って配管１０５を覆うことができる。
【００５２】
［発明の実施の形態２］
図１０乃至図１３に、この発明の実施の形態２を示す。
【００５３】
図１０〜図１３に示す、この実施の形態２の配管用化粧カバー１０Ｂは、実施の形態１の第一の管部１１に替えて第一の管部５１を備えている。
【００５４】
図１０、図１１に示す通り、第一の管部５１は、実施の形態１の第一のカバー部材１６に替えて第一のカバー部材５２を備えている。
【００５５】
この第一のカバー部材５２には、連結部１４の径方向に沿って切り取り部５３が形成されている。この実施の形態２において、切り取り部５３は連結部１４の他の部分よりも薄肉に形成されて、切り取りやすくなっている。なお、切り取り部５３は、ミシン目が開孔されている構成や、折り目がつけられた構成等であってもよいし、単に切り取り線が表面に描画されている構成であってもよい。また、図１０、図１１等に示す第一のカバー部材５２には切り取り部５３は一箇所のみ設けられているが、この切り取り部５３と同様の切り取り部を、連結部１４の一側側から他側側にかけて複数並行に設けてもよい。
【００５６】
図１０，図１１に示す、切り取り部５３よりも他側側（図１０，図１１における右側）の連結部１４の長さＬ３は、第二の管部１２の当接部４１からＲの部分の手前までの長さＬ２以下になるように形成する。
【００５７】
図５の（ｃ）に示す、第一のカバー部材５２の切り取り前の幅Ｗ４ｂは、図１０に示す、段差部分１０１の第三の壁面１０４の取り得る最大の幅Ｗ１１以上の大きさに形成されている。
【００５８】
図１２に示す通り、配管用化粧カバー１０Ｂを取り付け可能な、第三の壁面１０４の取り得る最小の幅Ｗ１２は、第一の管部１１における一端開口部２２の大きさＷ３未満となるように形成されている。それ以外の構成は、上記実施の形態１と同じである。
【００５９】
この実施の形態２においては、図１０、図１１に示す取り得る最大の幅Ｗ１１のように、第三の壁面１０４の幅が大きい場合は、第一のカバー部材５２を切り取り部５３で切り取らない状態で配管用化粧カバー１０Ｂを形成して、段差部分１０１に取り付ける。
【００６０】
一方、図１２、図１３に示す取り得る最小の幅Ｗ１２のように、第三の壁面１０４の幅が小さい場合は、第一のカバー部材５２を切り取り部５３で切り取った状態で配管用化粧カバー１０Ｂを形成して、段差部分１０１に取り付ける。
【００６１】
そして、第一の管部５１の本体部１３と第二の管部１２との距離を短縮させると、本体部１３の一部は、図１２に示すように、第二の管部１２の切り欠き部４０に入り込んだ状態（即ち、実施の形態１の図８（ａ）に示す、本体部１３の一部が第二の管部１２の切り欠き部４０に入り込んだ状態と同様の状態）となる。
【００６２】
この場合、図１３に示す通り、第一の管部５１の一端開口部２２と、第二の管部１２の他端開口部３８とは一部が重なり、この重なった部分が直方貫通部５４を形成する。
【００６３】
さらに、第一の管部５１の本体部１３と第二の管部１２との間隔を最も縮小させると、図１２に示すように、第一の管部５１の段差部２８と第二の管部１２の当接部４１とが当接した状態となる。なんとなれば、切り取り部５３よりも他側側の連結部１４の長さＬ３が、第二の管部１２の当接部４１からＲの部分の手前までの長さＬ２以下であり、連結部１４が全て第二の管部１２の内部に挿入されうるからである。
【００６４】
このように、この実施の形態２においては、連結部１４には切り取り部５３を設けたことにより、切り取り部５３で連結部１４の他側側の一部を切り取って連結部１４を短くすることで、第一の管部５１と第二の管部１２の距離を調節することができる。そのため、切り取り部５３で連結部１４を切り取らないものには第三の壁面１０４の取り得る最大の幅Ｗ１１のような広い段差部分１０１に取り付け、切り取り部５３で連結部１４を切り取ったものは第三の壁面１０４の取り得る最小の幅Ｗ１２のような狭い段差部分１０１に取り付け、様々な幅の段差部分１０１に適用可能とすることができる。また、一部を切り取った連結部１４が第二の管部１２の一側開口部３９から内部に挿入されたとき、第一の管部５１の本体部１３の段差部２８が切り欠き部４０の当接部４１の端面に当接可能に形成されるように構成されたことにより、本体部１３の段差部２８が切り欠き部４０の当接部４１に当接するまで押し込むことで、連結部１４を最大限に短くすることができる。
【００６５】
また、これに加え、実施の形態２においては、実施の形態１の配管用化粧カバー１０Ａと同様の作用効果を奏する。
【００６６】
なお、上記各実施の形態においては、配管用化粧カバー１０Ａを建築物１００の内壁に取り付ける構成としたが、外壁に取り付けてもよいし、家屋やビル以外の建築物や建造物、例えば競技場、橋梁、水門等に取り付けてもよい。
【００６７】
また、上記各実施の形態においては、第一の管部１１，５１を第一の壁面１０２と第三の壁面１０４とに沿って取り付け、第二の管部１２を第二の壁面１０３に沿って取り付けた構成としたが、逆に、第一の管部１１，５１を第二の壁面１０３と第三の壁面１０４とに沿って取り付け、第二の管部１２を第一の壁面１０２に沿って取り付ける構成としてもよい。この場合、第二の管部１２は、他側部（図７の（ａ）における左側部）の略全面が平面状に形成され、この他側部の略全面が第一の壁面１０２に密着して配設されるように構成されていてもよい。
【００６８】
上記各実施の形態は本発明の例示であり、本発明が上記各実施の形態のみに限定されることを意味するものではないことは、いうまでもない。
【符号の説明】
【００６９】
１０Ａ，１０Ｂ・・・配管用化粧カバー
１１，５１・・・第一の管部
１２，５２・・・第二の管部
１３・・・本体部
１４・・・連結部
１５・・・第一のベース部材
１６・・・第一のカバー部材
２２・・・一端開口部（第一の開口部）
２８・・・段差部
２９・・・切り取り部
３１・・・第二のベース部材
３２・・・第二のカバー部材
３８・・・他端開口部（第二の開口部）
４０・・・切り欠き部
４５，５４・・・直方貫通部
１０１・・・段差部分
１０２・・・第一の壁面
１０３・・・第二の壁面
１０４・・・第三の壁面
１０５・・・配管
【図１】
2015105681.tif 000003
【図２】
2015105681.tif 000004
【図３】
2015105681.tif 000005
【図４】
2015105681.tif 000006
【図５】
2015105681.tif 000007
【図６】
2015105681.tif 000008
【図７】
2015105681.tif 000009
【図８】
2015105681.tif 000010
【図９】
2015105681.tif 000011
【図１０】
2015105681.tif 000012
【図１１】
2015105681.tif 000013
【図１２】
2015105681.tif 000014
【図１３】
2015105681.tif 000015